(57)【特許請求の範囲】
【請求項１】
図柄を変動表示する図柄表示体と、該図柄表示体の表示図柄に応じて開閉制御可能な特定入賞口と、前記特定入賞口内に入賞した入賞球を遊技者に有利な第１の球経路と有利でない第２の球経路とに振り分ける第１の振り分け部材と、前記第１の球経路に振り分けられた入賞球を遊技者に有利な第１の位置と有利でない第２の位置とに振り分ける第２の振り分け部材とを備えており、
前記第１の振り分け部材は、前記特定入賞口に入賞した入賞球を遠心力によって旋回させながら一時的に滞留させる円形状の球滞留面が形成された球滞留部を、前記第１及び第２球経路の上流に備えており、
前記第１の球経路は、前記第１の振り分け部材から落下した入賞球を受け止めて転落方向を変更して、前記第２の振り分け部材の周縁部に誘導する誘導面に転落させる第１の導球部を備え、前記第２の球経路は、前記第１の振り分け部材から落下した入賞球を受け止めて転落方向を変更して前記第２の振り分け部材と別方向へ誘導する第２の導球部を備え、
前記第２の振り分け部材は、特定収容部と普通収容部とを有する回転盤を備え、前記回転盤を回転させることによって、前記特定収容部に収容された入賞球は前記第１の位置に入球し、前記普通収容部に収容された入賞球は前記第２の位置に入球するように構成されていることを特徴とするパチンコ機。
【請求項２】
請求項１のパチンコ機であって、
前記誘導面は、パチンコ機の裏側へ向かって下り状に傾斜する傾斜面を有しており、
前記第１の導球部から転落した入賞球は、その傾斜面を第２の振り分け部材に向かって直進し、第２の振り分け部材の特定収容部と普通収容部のいずれかに入球することを特徴とするパチンコ機。
【発明の詳細な説明】
【０００１】
【産業上の利用分野】
この発明は大入賞口と特定入賞口とを備えた入賞装置が遊技盤に装着されたパチンコ機に関する。
【０００２】
【従来の技術】
パチンコ機の入賞装置にはその入賞口に入賞した入賞球が入賞装置内の各球通過経路のうちの特定の経路を通過する確率を設定する種々の機構が組込まれている。
【０００３】
【発明が解決しようとする課題】
本発明は入賞装置の特定入賞口に入賞した入賞球が入賞装置内の特定の経路を通過するまでの経過およびその確率の設定に関して新規な趣向を加えることを課題とするものである。
【０００４】
【課題を解決するための手段】
前記課題を解決するために、本発明のパチンコ機は請求項１に記載の通りに構成されている。
請求項１に記載のパチンコ機によれば、図柄表示体に例えば当たり図柄が表示されると特定入賞口は開放され、特定入賞口内に入賞した入賞球は第１の振り分け部材によって遊技者に有利な第１の球経路と有利でない第２の球経路とに振り分けられるため、遊技盤面のパチンコ球が特定入賞口に入賞して遊技者に有利な第１の球経路へ入球するまでが変化に富み、パチンコ機に新規の趣向を備えさせることができる。また、第１の球経路に振り分けられた入賞球は、さらに、第２の振り分け部材によって遊技者に利益を与える第１の位置と利益を与えない第２の位置とに振り分けられるため、一旦第１の球経路に振り分けられて入球した入賞球が、次に遊技者に利益を与える第１の位置へ振り分けられて入球するという２回の入球動作が与えられ、パチンコ機に一層新規の趣向を備えさせることができる。
このパチンコ機では、特定入賞口が、一度に複数の入賞球を第1の振り分け部材に入球させることができるため、第１の振り分け部材では複数の入賞球のうちのいずれか１つ以上が第１の球経路に振り分けられる可能性が高くなり、振り分け動作に対する期待感が高められる。
またこのパチンコ機では、特定入賞口に入賞した入賞球が、第１の球経路と第２の球経路とに振り分けられる前に円形状の球滞留面が形成された球滞留部によって遠心力によって旋回し、入賞球自体の回転動による偶然性に基づいて振り分けられるため、遊技者に期待感とスリル感を与えることができる。また、球滞留部で入賞球が一時的に滞留するため、その間は遊技者に期待感とスリル感を持続させることができ、振り分けを効果的に演出することができる。
またこのパチンコ機では、前記第１の振り分け部材から前記第１の球経路に振り分けられて落下した入賞球が、一旦第１の導球部で受け止められて転落方向が変更される結果、直接的に第２の振り分け部材に落下する場合に比して、入球までの時間にばらつきが生じる。このため、入賞球が第２の振り分け部材の第１の位置か第２の位置かいずれに振り分けられるか予測することが難しく、遊技者に期待感とスリル感を抱かせることができる。また、この第１の導球部では、前記第１の球経路に振り分けられて落下した入賞球が、一旦第１の導球部で受け止められて転落方向が変更された上で、第２の振り分け部材の周縁部に入球される。このため、直接的に第２の振り分け部材に落下する場合に比して、第２の振り分け部材に与えられる衝撃が緩衝され、破損が防止される。一方、前記第２の球経路に振り分けられて落下した入賞球は、一旦第２の導球部で受け止められて転落方向が変更された上で、第２の振り分け部材と別方向に設置されている部位に入球される。このため、直接的に当該部位に落下する場合に比して、当該部位に与えられる衝撃が緩衝され、破損が防止される。
さらにこのパチンコ機では、前記第２の振り分け部材に備えられた回転盤の回転によって、第１の振り分け部材によって第１の球経路に振り分けられた入賞球が、第１の位置と第２の位置とに振り分けられるため、第１の球経路に振り分けられた入賞球の振り分けを効果的に演出することができる。
【０００６】
また、本発明のパチンコ機は請求項２に記載の通りに構成されている。
請求項２のパチンコ機によれば、前記第１の振り分け部材によって第１の球経路に振り分けられた入賞球は、パチンコ機の裏面側へ向かって下り状に傾斜した傾斜面で後方へ直進して第２の振り分け部材へ入球されるため、入球動作が遊技者からよく観察され、入賞球が第２の振り分け部材によって第１の位置か第２の位置のいずれに振り分けられたのかを容易に確認できるとともに、パチンコ遊技に対する興味が高められる。
【０００７】
【実施例】
次に、本発明の１実施例を図面にしたがって説明する。
パチンコ機の遊技盤１において、その中央部には入賞装置２が装着され、入賞装置２の上方には天入賞口３ａと始動口入賞数表示ＬＥＤ７５とを有する天固定式役物３が設置され、入賞装置２の図示左方には左肩入賞口４ａを有する左肩固定式役物４と、左上入賞口５ａを有する左上固定式役物５とが設置され、入賞装置２の斜め下方には左中入賞口６ａを有する左風車付き固定式役物６と、右中入賞口７ａを有する右風車付き固定式役物７とが設置されている。
【０００８】
入賞装置２の右方には球受け部８ａと７個の右装飾ＬＥＤ７７とを有する右回転体８と、この右回転体８の球受け部８ａで受け止められたパチンコ球を落入させる始動口９ａと、始動口入賞検出スイッチ９ｂとを有する始動口付き役物９とが設置され、入賞装置２の下端部の左方および右方には左右の図柄作動スイッチ１０ａを備えた左右のゲート１０が設置され、入賞装置２の下方には左下入賞口１１ａを有する左下固定式役物１１と、中下入賞口１２ａを有する中風車付き固定式役物１２と、右下入賞口１３ａを有する右下固定式役物１３とが設置され、天固定式役物３の両側方には左右１対のランプ風車１４が設置されている。
【０００９】
遊技盤１の裏面側には右回転体８が出力軸に結合された右回転体駆動モータ８６と、大入賞口開放ソレノイド８７と、特別装置作動領域外通過検出スイッチ８８と、大入賞口入賞検出スイッチ８９とが設置されてそれぞれ中継基板９０に接続されている。
【００１０】
入賞装置２において、遊技盤面１ａにビス着されて中央部および上部に開口部が開設されたベース枠１５の下端付近には横長の方形孔状の大入賞口１６が開設され、ベース枠１５の前面の上端の左右方向中央部には前方へ突出された棚片１７が形成されている。
【００１１】
ベース枠１５の左右枠部の前面の中央部の若干上方には遊技盤面１ａの前方へ突出されて後方開放の縦長箱形状に形成された左右１対の上仕切り部材１８が取付けられ、この両上仕切り部材１８の上端縁と棚片１７の両側縁との間にはパチンコ球をベース枠１５の枠内上部へ落入させる左右１対の特定入賞口２０がそれぞれ開設されている。
【００１２】
ベース枠１５の下端付近の前面の左右端部には上外方から下内方へ傾斜した上片２１ａと、内側面が大入賞口１６の側縁に整合された垂直状の下片２１ｂとが連接された左右１対の下仕切り部材２１が取付けられている。
【００１３】
ベース枠１５の下端付近の後端面には横長の帯板状に形成されたＬＥＤ基板２２が取付けられ、このＬＥＤ基板２２の前面には横一列に配列された７個の下装飾ＬＥＤ７４がベース枠１５の下端付近に貫設された横長状の長孔１５ａに対向して設置されている。
【００１４】
ベース枠１５の下端付近には大入賞口１６の上縁に連接された横長状の上板２４ａと、大入賞口１６の下縁に連接されて上面が左方へ前下り状に傾斜した底板２４ｂと、上板２４ａおよび底板２４ｂの両側縁に連接されて垂立された左右１対の側板２４ｂとを有する下誘導部２４が形成されている。
【００１５】
ベース枠１５の下誘導部２４には大入賞口１６を開閉する扉体２５がその下端縁を傾動支点として前後方向への傾動可能に軸支され、この扉体２５には大入賞口１６の開口面積とほぼ等しい寸法を有する前板２５ａと、この前板２５ａの右端縁に連接されて後方へ突出された側板２５ｂとが形成され、この側板２５ｂの上端には扉体２５の前方の傾動端を規定するストッパ２５ｃが突出形成され、側板２５ｂの下端には側方へ横出された連動ピン２５ｄが形成されている。
【００１６】
下誘導部２４の後端縁には大入賞口１６の後方に垂立されて左端に開口部を有するカバー部２６ａと、このカバー部２６ａの開口部の開口縁に連接されて前方および下方開放の方形箱形状に形成された樋部２６ｂと、カバー部２６ａの後面に連接されて後方へ延出された取付け部２６ｃとを有する壁片２６がビス着されている。
【００１７】
大入賞口１６へ落入したパチンコ球は下誘導部２４の底板２４ｂ上を転動して壁片２６の樋部２６ｂ内へ落入し、遊技盤１の裏面側で入賞装置２内から放出される。
【００１８】
壁片２６のカバー部２６ａの右端には大入賞口開放ソレノイド８７のプランジャ８７ａによって押動される下伝動片２９が上下方向への搖動可能に軸支され、この下伝動片２９の前端付近には扉体２５の連動ピン２５ｄが係合された係合溝２９ａが凹設され、下伝動片２９の後端には大入賞口開放ソレノイド８７のプランジャ８７ａ上に載置されてプランジャ８７ａが下方へ退動したときに下伝動片２９を自重で前下り姿勢から前上り姿勢に転換させる錘り２９ｂが結合されている。
【００１９】
大入賞口開放ソレノイド８７が消磁されてプランジャ８７ａが上方へ進動した状態では下伝動片２９は前下り姿勢で保持され、扉体２５の前板２５ａが後方の傾動端へ傾動して垂立姿勢で保持され、大入賞口１６が扉体２５によって閉鎖される。
【００２０】
大入賞口開放ソレノイド８７が励磁されてプランジャ８７ａが下方へ退動すると、下伝動片２９が自重で前上り姿勢に転換されて扉体２５が前方の傾動端へ傾動し、前板２５ａが前上り状の傾斜姿勢で保持され、大入賞口１６が開放される。
【００２１】
ベース枠１５の枠内の上部には特定入賞口２０へ落入した入賞球を受止める棚板３０が設置され、この棚板３０には左端部にほぼＵ形状の球通し口３０ｂが貫設されて両側縁が両上仕切り部材１８の上端縁にそれぞれ対置され、ほぼ水平状に設置されて上面が若干後下り状に傾斜した板部３０ａと、前部の上端縁が球通し口３０ｂの両側縁および前縁に連接され、球通し口３０ｂ内を通り抜けた入賞球を後方へ誘導する樋部３０ｃとが形成されている。
【００２２】
ベース枠１５には前端付近がベース枠１５内の中央部および上部に嵌込まれた状態でベース枠１５の後側に設置され、前方および下方開放の箱形状に形成された後ケース３３が取外し可能に結合されている。
【００２３】
後ケース３３には左右１対の下側壁板３３ａと、この両下側壁板３３ａの上端縁に連接された中壁板３３ｂと、中壁板３３ｂの上面の左右側縁付近に連接された左右１対の上側壁板３３ｃと、この両上側壁板３３ｃの上端縁に連接された上壁板３３ｄと、両下側壁板３３ａ、中壁板３３ｂ、両上側壁板３３ｃ、上壁板３３ｄの各後端縁にそれぞれ連接された後壁板３３ｅとが形成され、両下側壁板３３ａの前端にはベース枠１５の両側枠部の中央部付近に貫設された結合孔１５ｄの孔縁に解離可能に掛止された掛止爪３３ｆが形成されている。
ベース枠１５の中央部付近にはベース枠１５の開口部の下部を閉塞する透明合成樹脂製の窓板３１が垂立状態で設置されている。
【００２４】
ベース枠１５の両側枠部の上部にそれぞれ形成された左右１対の前軸受け部と、後ケース３３の両上側壁３３ｃの後下端にそれぞれ連接された左右１対の後軸受け部３３ｈとには前後方向に沿って並行状に横架された左右１対の駆動軸４０がそれぞれ貫挿支持されている。
【００２５】
両駆動軸４０の前端には特定入賞口２０を開閉する可動翼片４１の下端部がそれぞれ固定され、両駆動軸４０の後端には後方へ突出された連動ピン４２ａを有する上伝動片４２がそれぞれ固定されている。
【００２６】
後ケース３３の後壁板３３ｅの後側には後壁板３３ｅにビス着されたソレノイドベース４３が固定され、このソレノイドベース４３にはスプリング４４ｂで下方へ付勢されたプランジャ４４ａを有する特定入賞口開閉ソレノイド４４が下向き状に取付けられている。
【００２７】
特定入賞口開閉ソレノイド４４のプランジャ４４ａの下端には正面形状がほぼＵ形状に形成された昇降部材４５の中央部が結合され、この昇降部材４５の左右の上端部には両伝動片４２の連動ピン４２ａが遊挿された伝動孔４５ａがそれぞれ貫設されている。
【００２８】
特定入賞口開閉ソレノイド４４が消磁された状態ではプランジャ４４ａおよび昇降部材４５が下動した状態で保持され、両可動翼片４１がそれぞれ内方へ傾動端へ傾動して両特定入賞口２０がそれぞれ可動翼片４１によって閉鎖される。
【００２９】
特定入賞口開閉ソレノイド４４が励磁されると、プランジャ４４ａおよび昇降部材４５が上動して両駆動軸４０が回転駆動され、両可動翼片４１がそれぞれ外方へ傾動して両特定入賞口２０がそれぞれ開放される。これにより、両特定入賞口２０のそれぞれからほぼ同時にパチンコ球が落下する可能性が生じる。
【００３０】
後ケース３３内の中央部付近には棚板３０の樋部３０ｃ内を通って樋部３０ｃの後端縁から落下した入賞球を受け止めて旋回させながら一時的に滞留させてから振り分ける透明合成樹脂製の固定振り分け部材３４が前方への取外し可能に嵌め込まれて後ケース３３に結合されている。
【００３１】
固定振り分け部材３４には後ケース３３の両下側壁板３３ａ間に橋架されて前端縁が窓板３１の上端縁の若干上方に隣設された球滞留部３５と、この球滞留部３５の下面の中央部付近に接合されて後ケース３３内の下端付近に設置された球振り分け部３６とが形成されている。
【００３２】
固定振り分け部材３４の球滞留部３５の上面には棚板３０の樋部３０ｃの後端縁の直下からその前右方へ前下り状態で渦巻き状に湾曲し、断面形状が凹円弧状に湾曲した後誘導面３５ａと、後右部が後誘導面３５ａの先端縁に連接された円筒面状の周壁面３５ｂと、この周壁面３５ｂによって囲まれた円形状の滞留面３５ｃとが形成され、球滞留部３５の中央部付近には滞留面３５ｃの中心の若干右方に配設された特定球落下口３７と、滞留面３５ｃの中心の若干左方に配設された普通球落下口３８とが隣接して開口されている。
【００３３】
固定振り分け部材３４の球振り分け部３６には球滞留部３５の下面に接合された垂下された連結部３６ａと、連接部３６ａの下端の右前面に連接されて右前方へ若干延出された第１導球部３６ｂと、連結部３６ａの下端の左側面に連接されて左後方へ延出され、第１導球部３６ｂの長さより延長された長さを有する第２導球部３６ｃが形成されている。
【００３４】
両導球部３６ｂ，３６ｃは１個のパチンコ球の受け止めが可能な間隙を隔てて並設された両側壁と、この両側壁の先端部の下端縁に連接されて橋架された橋架片とによってそれぞれ形成されている。
【００３５】
第１導球部３６ｂの基端部は特定球落下口３７の直下に配設され、第２導球部３６ｃの基端部は普通球落下口３８の直下に配設され、特定球落下口３７へ落入した入賞球は第１導球部３６ｂ上に載置された状態で右前方へ誘導されて第１導球部３６ｂの先端から転落し、普通球落下口３８内へ落入した入賞球は第２導球部３６ｃ上に載置された状態で左後方へ誘導されて第２導球部３６ｃの先端から転落する。
【００３６】
後ケース３３の下端には固定振り分け部材３４の下方に前下り状に設置された底板４８が結合されている。
【００３７】
底板４８の中央部には丸孔状の球受け孔４９が凹設され、この球受け孔４９の底面の周縁部付近の前部には底面を前後に２等分する２等分線の前方に配設されて内方に向って先下り状に傾斜した円錐面状の第１誘導面４９ａが形成され、球受け孔４９の底面の周縁部付近の後左部にはその内端付近に配設されて内方へ先下り状に傾斜した円錐面状の第２誘導面４９ｂと、この第２誘導面４９ｂの外方に配設されて第２誘導面４９ｂに稜線４９ｄを介して連接され、外方へ先下り状に傾斜した円錐面状の第３誘導面４９ｃとが形成されている。
【００３８】
球受け孔４９の底面の周縁部付近の後右部には第３誘導面４９ｃの右端縁に段部４９ｅを介して連接されて外方へ先下り状に傾斜した円錐面状の第４誘導面４９ｅが形成され、この第４誘導面４９ｅの内端縁には平面形状が円弧状に湾曲した状態で突設された湾曲突条４９ｆと、この湾曲突条４９ｆの後端に連接されて斜め前方へ延出され、第２誘導面４９ｂの後端上に突出されたガイド突条４９ｇとが連接されている。
【００３９】
球受け孔４９の底面の中央部付近にはボス部４９ｈが凸設されている。
【００４０】
底板４８の上面の前部には球受け孔４９の前孔縁の左右部にそれぞれ連接されて平面形状が円弧状に湾曲された状態で凸設された左右１対の障壁４８ａと、この両障壁４８ａの外方にそれぞれ連設されて前方に向かって先下り状に傾斜した左右１対の横誘導面４８ｂとがそれぞれ左右対称状に形成されている。右方に形成された横誘導面４８ｂは、第１導球部３６ｂの先端から転落した入賞球を受け止め、前方へ誘導する。
【００４１】
底板４８の上面の前端部の左右方向中央部には後下り状に傾斜した中誘導面４８ｃと、この中誘導面４８ｃの両側方に配設されて横誘導面４８ｂの前端縁に段部を介して連接され、それぞれ中誘導面４８ｃに向かって先下り状に傾斜した左右１対の前誘導面４８ｄとが形成されている。横誘導面４８ｂで前方へ誘導された入賞球は、前誘導面４８ｄに誘導される。前誘導面４８ｄは、横誘導面４８ｂより誘導された入賞球を中誘導面４８ｃに誘導する。中誘導面４８ｃには入賞球を後方へ直進させる球通路５２が形成されている。
【００４２】
底板４８の後右部には球受け孔４９内に連通されて第４誘導面４９ｄの外端縁の後部の斜め後方に配設され、遊技者に利益を与える特別装置作動口５０が開口され、底板４８の後左部には球受け孔４９内に連通されて第３誘導面４９ｃの外端縁の中央部の斜め後方に配設され、固定振り分け部材３４の第２誘導球部３６ｃの先端から落下した入賞球が落入する普通球出口５１が貫設されている。
【００４３】
底板４８の後端に形成されたモータ取付孔４８ｅ内には回転盤駆動モータ５３が下向き状に設置され、この回転盤駆動モータ５３のモータ軸５３ａには底板４８の下側に配置された駆動ギヤ５４が嵌着されている。
【００４４】
底板４８の中央部付近に挿着されて下部が下方へ突された支持ピン５５には駆動ギヤ５４と噛合った中間ギヤ５６が遊転可能に嵌装されている。
【００４５】
回転盤駆動モータ５３の前方には球受け孔４９内に嵌め込まれた球移送部５８ａと、この球移送部５８ａの中心部に挿着されて下方へ突出され、球受け孔４９の中心部の位置で底板４８に貫挿された支軸５８ｂとを有し、底板４８のボス部４８ｈによって回転可能に支持された回転盤５８が設置されている。支軸５８ｂをほぼ垂直に貫挿して回転盤５８を水平に設置してもよいし、支軸５８ｂを斜めに貫挿して回転盤５８を遊技盤１の表側に向かって下り状に傾斜するように設置してもよい。
【００４６】
回転盤５８の支軸５８ｂには中間ギヤ５６と噛合った伝動ギヤ５９が嵌着され、回転盤駆動モータ５３の回転が駆動ギヤ５４、中間ギヤ５６、伝動ギヤ５９を介して回転盤５８に伝達されて回転盤５８が右回り（時計回り）に回転駆動される。
【００４７】
回転盤５８の球移送部５８ａにはその内方へ凹陥されてほぼＵ形状の横断面形状を有し、球通路５２を通り抜けた入賞球を受け入れて特別装置作動口５０に向けて放出する１個の特定収容部６０と、内方へ凹陥されてほぼＵ形状の横断面形状を有し、球通路５２を通り抜けた入賞球を受け入れて普通球出口５１に向けて放出する４個の普通収容部６１とが形成されて周方向へ配列されている。球移送部５８ａには半透明合成樹脂材によって外形がほぼＶ形状に成形され、特定収容部６０を包囲する装飾片６２が付設されている。
【００４８】
回転盤５８の回転中心側への特定収容部６０の凹陥深さは普通収容部６１の凹陥深さより増大され、球通路５２を通って特定収容部６０内に導入された入賞球は回転盤５８の回転動作によって底板４８の球受け孔４９の第１誘導面４９ａ上を転動しながら旋回し、続いてガイド溝４９ｈの外溝縁上および第２誘導面４９ｂ上を転動して普通球出口５１の内方を通り過ぎて約１８０°旋回してから、ガイド突条４９ｆに突き当り、ガイド突条４９ｆによって外方へ押し出されて第３誘導面４９ｃの右端上へ転落し、さらに、第３誘導面４９ｃ上から第４誘導面４９ｄ上へ転落し、第４誘導面４９ｄ上から特別装置作動口５０内へ落入する。
【００４９】
球通路５２を通って各普通収容部６１内へ導入された入賞球は球受け孔４９の第１誘導面４９ａ上を転動しながら旋回して第１誘導面４９ａ上から第３誘導面４９ｃ上へ転落し、第３誘導面４９ｃ上から普通球出口５１内へ落入する。
【００５０】
底板４８の下面左部には普通球出口５１内へ落入した入賞球を前方へ誘導して入賞装置２の左下端から遊技盤１の裏側へ放出する左排出樋６３が結合され、この左排出樋６３には底板４８の下方に設置されて駆動ギヤ５４、中間ギヤ５６、伝動ギヤ５９をカバーするカバー板６４が結合されている。
【００５１】
底板４８の下面右部には特別装置作動口５０に落入した入賞球を前方へ誘導して入賞装置２の右下端から遊技盤１の裏側へ放出する右排出樋６５が結合され、この右排出樋６５内の上端には特別装置作動口５０に落入した入賞球を検出して特別装置を作動させる特別装置作動領域通過検出スイッチ６６が装入されている。
【００５２】
特別装置作動口５０に落入した入賞球が特別装置作動領域通過検出スイッチ６６によって検出されると、特別装置が作動して大入賞口開放ソレノイド８７が励磁され、扉体２５が前方へ傾動して大入賞口１６が９．８秒間開放される。
【００５３】
ベース枠１５の上端付近にはベース枠１５の後側に垂直状に設置されたＬＥＤ基板６９が結合され、このＬＥＤ基板６９の前面の左右端部には左右２対の記憶数表示ＬＥＤ７６が設置されるとともに、ＬＥＤ基板６９の前面の左右部には上装飾ＬＥＤ７１と、０，１，２，３，４，５，６，７，８，９の１０図柄を変動表示する図柄表示体（ＬＥＤ）７０とが隣接して設置されている。
【００５４】
図柄表示体７０はパチンコ球がゲート１０を通過して図柄作動スイッチ１０ａによって検出されたときに変動表示を開始し、始めに１０図柄を１図柄０．１２８秒、１周期１．２８秒の移行速度で２．９４４秒間高速変動表示してから、続いて１図柄１．０２４秒、１周期１０．２４秒の移行速度で低速変動表示して図柄の変動表示を停止し、その０．２０４秒後に図柄表示体７０が特定した図柄が判定される。
【００５５】
図柄表示体７０が図柄の変動表示停止時に特定した停止図柄が１，３，５，７，９となった場合に当り図柄と判定されて特定入賞口２０が０．７５２秒間開放され、停止図柄が０，２，４，６，８となった場合に外れ図柄と判定されて特定入賞口２０は開放されない。
【００５６】
図柄表示体７０は当り図柄を特定する確率が普通確率モードを高確率モードとの２種類のうちの何れかとなるように切換え制御され、パチンコ機の電源投入時には図柄表示体７０が当り図柄を特定する確率モードは通常確率モードにセットされ、入賞球が特別装置作動口５０に落入して特別装置が作動すると、特別装置の作動終了時点で通常確率モードから高確率モードに切換えられ、高確率モードのときに特別装置が作動すると、その時点で再び通常確率モードに切換えられて特別装置の作動終了後電源投入時の状態に復元する。
【００５７】
図柄表示体７０が高速変動表示から低速変動表示に移行する時点で、パチンコ球のゲート通過時に記憶された当り判定用乱数０〜１０の値が読み出され、通常確率モードの場合は読み出された当り判定用乱数が１となったときに当り図柄１，３，５，７，９のうちから停止図柄が選定され、１以外となったときにはづれ図柄０，２，４，６，８のうちから、停止図柄が選定され、通常確率モードでは当り図柄が特定される確率は１／１１となる。
【００５８】
高確率モードの場合は読み出された当り判定用乱数が１〜１０となったときに当り図柄１，３，５，７，９のうちから停止図柄が選定され、当り判定用乱数が１となったときにはづれ図柄０，２，４，６，８のうちから停止図柄が選定され、高確率モードでは当り図柄が特定される確率は１０／１１となる。
【００５９】
後ケース３３の後方には多数個のコネクタが後面に設置され、後ケース３３の取付け棒に結合された中継基板７２が垂直状に設置されている。
【００６０】
後ケース３３の上壁板３３ｄには左右１対のＡ表示灯７８が取付けられ、後ケース３３の両下側壁板３３ａと、両ランプ風車１４と、左肩固定式役物４と、左下固定式役物１１と、右下固定式役物１４とにはそれぞれＢ表示灯７９が取付けられ、左風車付き固定式役物６、右風車付き固定式役物７および中風車付き固定役物１２にはそれぞれＣ表示灯８０が取付けられている。
【００６１】
遊技盤１の左端部に装着された装飾プレート８３内および遊技盤１の左右端部付近の上下方向中央部にそれぞれ装着された左右のランプケース８４内の中央部にはそれぞれ口表示灯８１が設置され、ベース枠１５の下端中央部の後側および両ランプケース８４内の上下部にはそれぞれＥ表示灯８２が設置されている。
【００６２】
パチンコ球がゲート１０を通過してから図柄表示体７０が図柄の変動表示を停止するまでの時間は通常確率モード時と高確率モード時とでは相異し、図柄表示体７０が図柄を低速変動表示する時間は通常確率モードでは７．２９６秒間、６．２７２秒間、５．２４８秒間、４．２２４秒間、３．２秒間のうちの何れかとなり、高確率モードでは３．２秒間となる。
【００６３】
次に、各表示灯および各ＬＥＤの点灯態様について説明すると、電源投入時には、Ａ表示灯７８は通常確率モードでは周期４．０９６秒で点滅し、高確率モードでは周期０．２５６秒で点滅し、Ｄ表示灯８１および図示しない当り表示灯は通常確率モードでは消灯され、高確率モードでは周期１．０２４秒で点滅し、図柄表示体７０は「７」を点灯表示し、始動口入賞数表示ＬＥＤ７５は「−−」を点灯表示し、上装飾ＬＥＤ７１は「Ａ」を点灯表示し、下装飾ＬＥＤ７４のうちの左から１番目と７番目の下装飾ＬＥＤ７４が点灯し、右装飾ＬＥＤ７５は０．２５６秒の切換え時間で点灯ＬＥＤ数が右回りに１個づつ増加するように切換え点灯する。
【００６４】
パチンコ球がゲート１０を通過してから図柄表示体７０の停止図柄判定時までの間は、Ａ表示灯７８は通常確率モードでは周期０．５１２秒で点滅して高確率モードでは周期０．２５６秒で点滅し、Ｂ表示灯７９は周期０．５１２秒で点滅し、Ｄ表示灯８１は通常確率モードでは消灯され、高確率モードでは周期１．０２４秒で点滅し、図柄表示体７０は０〜９を変動表示し、記憶数表示ＬＥＤ７６はゲート通過の記憶数を点灯表示し、始動口入賞数表示ＬＥＤ７５は「−−」を点灯表示し、上装飾ＬＥＤ７１は「Ａ」を１．０２４秒の間隔で点滅表示し、各下装飾ＬＥＤ７４はその１番目と７番目の下装飾ＬＥＤ７４が０．５１２秒の周期で点滅して２番目〜６番目の下装飾ＬＥＤ７４が前回の当り図柄を点灯し、右装飾ＬＥＤ７５は周期０．５１２秒でＢ表示灯７９と同時に点滅する。
【００６５】
図柄表示体７０の停止図柄の判定後０．７０４秒間はＡ表示灯７８は引続き通常確率モードでは消灯されて高確率モードでは周期０．２５６秒で点滅し、Ｄ表示灯８１および当り表示灯は引続き通常確率モードでは消灯されて高確率モードでは周期１．０２４秒で点滅し、図柄表示体７０は０〜９の何れかを点灯表示し、記憶数表示ＬＥＤ７６はゲート通過記憶数を点灯表示し、上装飾ＬＥＤ７１は「Ａ」を点灯表示し、下装飾ＬＥＤ７４のうちの両端の下装飾ＬＥＤ７４は周期０．５１２秒で点滅し、右装飾ＬＥＤ７５は引続き周期０．５１２秒でＢ表示灯７９と同時に点滅する。
【００６６】
特定入賞口２０の開放時にはＢ表示灯７９およびＣ表示灯８０は周期０．５１２秒で交互に点滅し、Ｄ表示灯８１は通常確率モードでは消灯されて高確率モードでは周期１．０２４秒で点滅し、図柄表示体７０は当り図柄を点灯表示し、上装飾ＬＥＤ７１は「Ｂ」を点灯表示し、下装飾ＬＥＤ７４は左から１番目と７番目の下装飾ＬＥＤ７４が点灯して左から２番目へ６番目の下装飾ＬＥＤ７４が前回の当り図柄を点灯し、右装飾ＬＥＤ７５は周期０．５１２秒でＢ表示灯７９と同時に点滅する。
【００６７】
特定入賞口２０の閉鎖後５秒間（高確率時には１秒間）は、Ａ表示灯７８は引続き通常確率モードでは点灯して高確率モードでは周期０．２５６秒で点滅し、Ｂ表示灯７９およびＣ表示灯８０は引続き周期０．５１２秒で交互に点滅し、ＤＥ表示灯８１および当り表示灯は引続き通常確率モードでは消灯されて高確率モードでは周期１．０２４秒で点滅し、図柄表示体７０は引続き当り図柄を点灯表示し、上装飾ＬＥＤ７１は「Ｃ」を周期０．５１２秒で点滅表示し、下装飾ＬＥＤ７４は引続き特定入賞口２０入賞時と同様に点灯し、右装飾ＬＥＤ７５は引続き周期０．５１２秒でＢ表示灯７９と同時に点滅する。
【００６８】
入賞球が特別装置作動口５０に落入した特別装置作動時には、Ａ表示灯７８，Ｃ表示灯８０，Ｄ表示灯８１，当り表示灯と、Ｂ表示灯７９，Ｅ表示灯８２とは周期０．５１２秒で交互に点滅し、図柄表示体７０は０〜９を点灯表示し、上装飾ＬＥＤ７１は図柄「Ａ」を点灯表示し、下装飾ＬＥＤ７４のうちの左から１番目および７番目の下装飾ＬＥＤ７４は周期０．５１２秒で点滅し、右装飾ＬＥＤ７５は点灯個数が切換え時間０．２５６秒で右回りに１個づつ増加するように切換えを点灯する。
【００６９】
特別装置の作動中に大入賞口１６が閉鎖されると、始動口入賞表示ＬＥＤ７５が始動口９ａへの入賞数を点灯表示し、特別装置の作動中に大入賞口１６が開放されると、Ａ表示灯７８，Ｃ表示灯８０，Ｄ表示灯，当り表示灯と、Ｂ表示灯７９，Ｅ表示灯８２とが周期０．２５６秒で交互に点滅し、右装飾ＬＥＤ７５は点灯個数が切替え時間０．１２８秒で右回りに１個づつ増加するように切換え点灯する。
【００７０】
また、パチンコ機の防犯装置作動時には始動口入賞数表示ＬＥＤ７５が不正行為の対象に対応して「Ｅ１」、「Ｅ２」を点灯表示する。
【００７１】
表１は表示灯およびＬＥＤの表示態様を一覧表にしたものである。
【００７２】
【表１】
0003867153.tif 000002
【００７３】
次に、ゲーム態様について説明すると、パチンコ機の電源を投入すると、回転盤５８および右回転体８が起動されてそれぞれ右回りの回転動作を開始する。
【００７４】
遊技盤面１ａへ発射されたパチンコ球が天入賞口３ａ、左肩入賞口４ａ、右上入賞口５ａ、左中入賞口６ａ、右中入賞口７ａ、始動口９ａ、左下入賞口１１ａ、中下入賞口１２ａ、右下入賞口１３ａ、特定入賞口２０へ入賞すると、７個のパチンコ球が払い出され、パチンコ球が大入賞口１６へ入賞すると、１５個のパチンコ球が払い出される。
【００７５】
パチンコ球がゲート１０を通過すると、図柄表示体７０が図柄の変動表示を開始して１０図柄を高速変動表示および低速変動表示してから、図柄の変動表示を停止する。
【００７６】
図柄表示体７０が変動表示を停止したときの停止図柄が１，３，５，７，９の何れかとなった場合には当り図柄と判定されて特定入賞口２０が図柄の判定から０．００４秒後に０．７５２秒間開放される。
【００７７】
図柄表示体７０の図柄変動中、若しくは、特定入賞口２０の開放中にパチンコ球が新たにゲート１０を通過した場合にはその通過球数が最高４個まで記憶され、図柄表示体７０の変動停止後、若しくは特定入賞口２０の閉鎖後再び図柄表示体７０が図柄の変動表示を開始する。
【００７８】
開放中の特定入賞口２０へ入賞して、第１導球部３６ｂ、横誘導面４８ｂ、前誘導面４８ｄ及び球通路５２を通過し、回転盤５８に形成された特別収容部６０に導入された入賞球が特定装置作動口５０へ落入すると、特別装置が作動し、特別装置の作動中にパチンコ球が始動口９ａに入賞すると、大入賞口１６が９．８秒間開放される。但し、開放中の大入賞口１６にパチンコ球が１０個入賞したときはその時点で大入賞口１６が閉鎖される。また、始動口９ａへの入賞数は記憶されない。
【００７９】
特別装置の作動中にパチンコ球が始動口９ａに１６個入賞したとき、若しくは、入賞球が再度特別装置作動口５０を通過したときには特別装置の作動が停止する。大入賞口１６の開放中特別装置の作動が停止したときには大入賞口１６は残り時間分開放される。
なお、固定振り分け部材３４は本発明の第１の振り分け部材に対応しており、回転盤５８等により本発明の第２の振り分け部材が構成されている。また、第１導球部３６ｂは本発明の第１の球経路に対応しており、第２導球部３６ｃは本発明の第２の球経路に対応している。また、特別装置作動口５０は本発明の第１の位置に対応しており、普通球出口５１は本発明の第２の位置に対応している。また、始動口９ａは本発明の所定領域に対応している。
【００８０】
続いて、上記した構成をもつ実施例の作用と効果を説明する。
本例では開閉制御可能な特定入賞口２０および大入賞口１６を備えた入賞装置２には特定入賞口２０へ落入した入賞球を旋回させながら滞留させる誘導面と、入賞球を振り分けて落入させる特定球落下口３７および普通球落下口３８を有する固定振り分け部材３４と、特定球落下口３７へ落入した入賞球を一時的に収容して利益を与える特別装置作動口５０へ放出する特定収容部６０および利益を与えない普通球出口５１へ放出する複数個の普通収容部６１を有し、回転盤駆動モータ５３によって回転駆動される回転盤５８と、パチンコ球が遊技盤面のゲート１０を通過したときに特定入賞口２０を開放させる当り図柄を含む図柄群を変動表示して図柄の変動表示を停止し、停止図柄が当り図柄となる確率を切換え制御される図柄表示体７０とを組込んである。
【００８１】
このため、特定入賞口２０に入賞した入賞球を滞留させて遊技者に利益を与える位置への導入が可能となる経路と、利益を与える位置への導入が不能となる経路とに振り分ける態様、および、利益を与える位置への導入が可能な経路に振り分けられた入賞球を再び利益をを与える経路と、利益を与えない経路とに振り分ける態様に関して新規な趣向を入賞装置２に付与することができる。
【００８２】
また、特定入賞口２０を開放する条件を図柄表示体７０が特定する図柄によって設定し、図柄表示体７０が当り図柄を特定する確率が高確率に切換えられるように設定してあるので、ゲームでの機待感および興趣を高めることができる。
【図面の簡単な説明】
【図１】本発明の１実施例を示す遊技盤の正面図である。
【図２】遊技盤の裏面図である。
【図３】入賞装置の正面図である。
【図４】入賞装置の斜視図である。
【図５】入賞装置の側断面図である。
【図６】大入賞口の開閉態様を説明する斜視図である。
【図７】図５のＸ１−Ｘ１線矢視図である。
【図８】図７のＸ２−Ｘ２線断面図である。
【図９】底板および回転盤の分解平面図である。
【図１０】図９のＸ３−Ｘ３線断面図である。
【図１１】図５のＸ４−Ｘ４線矢視図である。
【図１２】パチンコ機の制御回路のプロック図である。
【図１３】大入賞口の開閉態様を示すタイムチャートである。
【図１４】特定入賞口の開閉態様を示すタイムチャートである。
【図１５】普通確率モードにおける図柄表示体の変動表示態様を示すタイムチャートである。
【図１６】高確率モードにおける図柄表示体の変動表示態様を示すタイムチャートである。
【図１７】通常確率モードと高確率モードとの切換え態様を示すタイムチャートである。
【符号の説明】
１  遊技盤
２  入賞装置
１０  ゲート
１６  大入賞口
２０  特定入賞口
３４  固定振り分け部材
３７  特定球落下口
３８  普通球落下口
５０  特別装置作動口
５１  普通球出口
５３  回転盤駆動モータ
５８  回転盤
６０  特定収容部
６１  普通収容部
７０  図柄表示体
【図１】
0003867153.tif 000003
【図２】
0003867153.tif 000004
【図３】
0003867153.tif 000005
【図４】
0003867153.tif 000006
【図５】
0003867153.tif 000007
【図６】
0003867153.tif 000008
【図７】
0003867153.tif 000009
【図８】
0003867153.tif 000010
【図９】
0003867153.tif 000011
【図１０】
0003867153.tif 000012
【図１１】
0003867153.tif 000013
【図１２】
0003867153.tif 000014
【図１３】
0003867153.tif 000015
【図１４】
0003867153.tif 000016
【図１５】
0003867153.tif 000017
【図１６】
0003867153.tif 000018
【図１７】
0003867153.tif 000019